(57)【要約】【課題】被検体をスキャンして得られた投影データに基づいて各スライス面の断層像を再構成する場合に、断層像生成手段にネットワークを介して短時間で投影データを提供できるデータ処理装置を提供することを目的とする。【解決手段】ＣＰＵ４５は、第２のメモリ４６から読み出した投影データＲＡＷを前処理して投影データＡＰＲＥを生成し、これをＮＩＣ４２を介して第１のメモリ４３に書き込む。ＮＩＣ４２は、ＣＰＵ４５からの要求に応じて、第１のメモリ４３から投影データＡＰＲＥを読み出し、ネットワークスイッチ１５を介して再構成部に送信する。【選択図】    図２
2004267345.tif 000002
【特許請求の範囲】
【請求項１】
ネットワークを介してデータを送信するデータ処理装置であって、
データを生成する第１の処理手段と、
内部バスを介して前記第１の処理手段に接続され、前記ネットワークを介したデータ送信処理を行う第２の処理手段と、
前記内部バスを介さずに前記第２の処理手段に直接接続され、前記第１の処理手段が生成した前記データを記憶する記憶手段と
を有し、
前記第２の処理手段は、前記記憶手段から読み出した前記データを、前記ネットワークを介して送信する
データ処理装置。
【請求項２】
前記記憶手段は、前記第２の処理手段が前記ネットワークを介して複数回送信する前記データを記憶する
請求項１に記載のデータ処理装置。
【請求項３】
被検体をスキャンして得られた投影データに基づいて各スライス面の断層像を再構成するデータ処理装置であって、
前記被検体をスキャンして得られた第１の投影データに対して前処理を行って第２の投影データを生成する前処理手段と、
前記前処理手段とネットワークを介して接続され、前記ネットワークを介して前記前処理手段から受信した前記第２の投影データを基に前記断層像データを生成する断層像生成手段と
を有し、
前記前処理手段は、
前記第１の投影データに対して前記前処理を行って前記第２の投影データを生成する第１の処理部と、
内部バスを介して前記第１の処理部に接続され、前記第２の投影データを前記断層像生成手段に前記ネットワークを介して送信する処理を行う第２の処理部と、
前記内部バスを介さずに前記第２の処理部に直接接続され、前記第１の処理部が生成した前記第２の投影データを記憶する記憶部と
を有し、
前記第２の処理部は、前記記憶部から読み出した前記第２の投影データを前記断層像生成手段に前記ネットワークを介して送信する処理を行う
データ処理装置。
【請求項４】
複数の前記前処理手段と、
複数の前記断層像生成手段と
を有し、
前記第１の処理部は、前記被検体をヘリカルスキャンして得られた前記第１の投影データに前記前処理を行って前記第２の投影データを生成し、
前記第２の処理部は、前記記憶部から読み出した前記第２の投影データを、前記ネットワークを介して前記断層像生成手段に複数回送信し、
前記断層像生成手段は、前記ネットワークを介して前記第２の処理部から受信した前記第２の投影データを基に線形補間を行って断層画像を再構成するヘリカルビュー重み付け処理を行う
請求項３に記載のデータ処理装置。
【請求項５】
第１の前記前処理手段から第１の前記断層像生成手段への前記第２の投影データの送信処理と、第２の前記処理手段から第２の前記断層像生成手段への前記第２の投影データの送信処理とを並行して行う
請求項４に記載のデータ処理装置。
【請求項６】
前記複数の前処理手段の前記第２の処理部と前記複数の断層像生成手段とがネットワークスイッチを介して接続され、
前記第２の処理部は、前記ネットワークスイッチを介して、前記断層像生成手段に前記第２の投影データを送信する
請求項４または請求項６に記載のデータ処理装置。
【請求項７】
前記第２の処理部は、前記ネットワークスイッチを介したデータ通信のプロトコル処理を行うネットワーク集積回路である
請求項３〜６のいずれかに記載のデータ処理装置。
【請求項８】
前記第１の処理部は、Ｘ線ビーム強度の変動による影響を補正するためのリファレンス補正、並びにＸ線検出器アレイのチャンネル間の感度バラツキを補正するためのチャンネル間感度補正のうち少なくとも一方の処理を前記前処理として前記第１の投影データに対して行う
請求項３〜７のいずれかに記載のデータ処理装置。
【請求項９】
被検体をスキャンして得られた投影データに基づいて各スライス面の断層像を再構成する複数の断層像生成装置に、前記投影データを送信するデータ処理装置であって、
前記被検体をスキャンして得られた第１の投影データに対して前処理を行って前記第２の投影データを生成する第１の処理部と、
内部バスを介して前記第１の処理部に接続され、前記第２の投影データを前記断層像生成手段にネットワークを介して送信する処理を行う第２の処理部と、
前記内部バスを介さずに前記第２の処理部に直接接続され、前記第１の処理部が生成した前記第２の投影データを記憶する記憶部と
を有し、
前記第２の処理部は、前記記憶部から読み出した前記第２の投影データを前記断層像生成手段に前記ネットワークを介して送信する処理を行う
データ処理装置。
【請求項１０】
被検体をスキャンして得られた投影データに基づいて各スライス面の断層像を再構成するＸ線ＣＴ装置であって、
被検体をスキャンして第１の投影データを生成するスキャン手段と、
前記スキャン手段が生成した前記第１の投影データに対して前処理を行って第２の投影データを生成する前処理手段と、
前記前処理手段とネットワークを介して接続され、前記ネットワークを介して前記前処理手段から受信した前記第２の投影データを基に前記断層像データを生成する断層像生成手段と
を有し、
前記前処理手段は、
前記第１の投影データに対して前記前処理を行って前記第２の投影データを生成する第１の処理部と、
内部バスを介して前記第１の処理部に接続され、前記第２の投影データを前記断層像生成手段に前記ネットワークを介して送信する処理を行う第２の処理部と、
前記内部バスを介さずに前記第２の処理部に直接接続され、前記第１の処理部が生成した前記第２の投影データを記憶する記憶部と
を有し、
前記第２の処理部は、前記記憶部から読み出した前記第２の投影データを前記断層像生成手段に前記ネットワークを介して送信する処理を行う
Ｘ線ＣＴ装置。
【請求項１１】
被検体をスキャンして得られた投影データに基づいて各スライス面の断層像を再構成するＸ線ＣＴ装置であって、
被検体をスキャンして得られたデータを受けるデータ収集手段と、
前記データ収集手段が受けた前記第１の投影データに対して前処理を行って第２の投影データを生成する前処理手段と、
前記前処理手段から受信した前記第２の投影データを基に前記断層像データを生成する断層像生成手段と
を有し、
前記データ収集手段、前記前処理手段および前記断層像生成手段がネットワークを介して接続され、
前記前処理手段は、
前記第１の投影データに対して前記前処理を行って前記第２の投影データを生成する第１の処理部と、
内部バスを介して前記第１の処理部に接続され、前記第２の投影データを前記断層像生成手段に前記ネットワークを介して送信する処理を行う第２の処理部と、
前記内部バスを介さずに前記第２の処理部に直接接続され、前記第１の処理部が生成した前記第２の投影データを記憶する記憶部と
を有し、
前記第２の処理部は、前記記憶部から読み出した前記第２の投影データを前記断層像生成手段に前記ネットワークを介して送信する処理を行う
Ｘ線ＣＴ装置。
【請求項１２】
被検体をスキャンして得られた投影データに基づいて各スライス面の断層像を再構成するＸ線ＣＴ装置であって、
被検体をスキャンして得られたデータを受けるデータ収集手段と、
前記データ収集手段が受けた前記第１の投影データに対して前処理を行って第２の投影データを生成する前処理手段と、
前記前処理手段から受信した前記第２の投影データを基に前記断層像データを生成する断層像生成手段と
を有し、
前記データ収集手段および前記前処理手段が内部バスを介して同一のデータ処理装置内で接続され、
前記データ処理装置と前記断層像生成手段とがネットワークを介して接続されており、
前記前処理手段は、
前記第１の投影データに対して前記前処理を行って前記第２の投影データを生成する第１の処理部と、
内部バスを介して前記第１の処理部に接続され、前記第２の投影データを前記断層像生成手段に前記ネットワークを介して送信する処理を行う第２の処理部と、
前記内部バスを介さずに前記第２の処理部に直接接続され、前記第１の処理部が生成した前記第２の投影データを記憶する記憶部と
を有し、
前記第２の処理部は、前記記憶部から読み出した前記第２の投影データを前記断層像生成手段に前記ネットワークを介して送信する処理を行う
Ｘ線ＣＴ装置。
【発明の詳細な説明】
【０００１】
【発明の属する技術分野】
本発明は、ＣＰＵおよびＮＩＣをバス接続したデータ処理装置、並びに被検体をスキャンして得られた投影データに基づいて各スライス面の断層像を再構成するデータ処理装置およびＸ線ＣＴ装置に関する。
【０００２】
【従来の技術】
放射線断層像撮影装置としては、たとえば、放射線としてＸ線を利用するＸ線ＣＴ（Ｃｏｍｐｕｔｅｄ  Ｔｏｍｏｇｒａｐｈｙ）  装置が知られている。
Ｘ線ＣＴ装置は、放射線照射・検出系、すなわちＸ線照射・検出系を被検体をはさんで相対向させた状態でＸ線を被検体に照射しながら被検体の周りで回転（スキャン（Ｓｃａｎ））させて、被検体の周囲の複数のビュー（ｖｉｅｗ）方向で被検体を透過したＸ線を検出系により検出し、それぞれＸ線による被検体の投影データを測定し、それら投影データに基づいて断層像を生成（再構成）するように構成されている。
【０００３】
図６は、従来のＸ線ＣＴ装置に内蔵されたデータ収集部（ＤＡ）および画像再構成部などを含むデータ処理装置７５の構成を示す図である。
図６に示すように、前処理部７１＿１，７１＿２，７１＿３、共有メモリ７２および再構成部（断層像生成手段）７３＿１，７３＿２が、内部バス７０を介して接続されている。
前処理部７１＿１，７１＿２，７１＿３は、走査ガントリにおいて被検体をスキャンして得られた投影データに前処理を施し、前処理が施された投影データを共有メモリ７２に内部バス７０を介して書き込む。
再構成部７３＿１，７３＿２は、内部バス７０を介して共有メモリ７２から投影データを読み出し、当該投影データを基に軸方向（走査ガントリ２内のＸ線照射空間への被検体の搬入・搬出方向）に線形補間を行って画像を再構成するヘリカルビュー重み付け処理を行う。
再構成部７３＿１と７３＿２は、上記ヘリカルビュー重み付け処理において、一部の同じ投影データを用いる。
そのため、共有メモリ７２から再構成部７３＿１，７３＿２に同じ投影データが繰り返し転送される。
図６に示す構成では、前処理部７１＿１，７１＿２，７１＿３および再構成部７３＿１，７３＿２のうち、バスアービトレーション（Ｂｕｓ  Ａｒｂｉｔｒａｔｉｏｎ）  によりバス使用権を獲得した一つが、内部バス７０を介したデータ伝送を行うことができる。
【０００４】
【発明が解決しようとする課題】
しかしながら、上述した図６に示すデータ処理装置７５では、再構成部７３＿１が内部バス７０を介して共有メモリ７２から投影データを読み出している期間、再構成部７３＿２は共有メモリ７２から投影データを読み出すことができず、そのことが上記ヘリカルビュー重み付け処理の終了タイミングを早めるためのボトルネックとなってしまうという問題がある。
【０００５】
ところで、ネットワークを介して記憶データを送信するデータ処理装置には、ＮＩＣ（Ｎｅｔｗｏｒｋ  Ｉｎｔｅｇｒａｔｅｄ  Ｃｉｒｃｕｉｔ）とＣＰＵ（Ｃｅｎｔｒａｌ  Ｐｒｏｃｅｓｓｉｎｇ  Ｕｎｉｔ）  とメモリとが内部バスを介して接続されているものがある。
このようなデータ処理装置では、メモリから読み出したデータをＮＩＣを介して頻繁にネットワークに送出する場合に、メモリとＮＩＣとの間の内部バスを介したデータ転送が頻繁に発生し、データバスの負荷が大きくなると共に、要求を受けてからデータをネットワークに送出するまでの時間を短縮できないという問題がある。
【０００６】
本発明は上述した従来技術の問題点に鑑みてなされ、内部バスを介してＣＰＵとＮＩＣとが接続されている構成のデータ処理装置において、内部バスの転送負荷を軽減でき、しかも要求から受けてから短時間でネットワークにデータを送出できるデータ処理装置を提供することを目的とする。
また、本発明は、被検体をスキャンして得られた投影データに基づいて各スライス面の断層像を再構成する場合に、断層像生成手段にネットワークを介して短時間で投影データを提供できるデータ処理装置およびＸ線ＣＴ装置を提供することを目的とする。
また、本発明は、被検体をスキャンして得られた投影データに基づいて各スライス面の断層像を再構成する場合に、複数の断層像生成手段に短時間で投影データを提供できるデータ処理装置およびＸ線ＣＴ装置を提供することを目的とする。
【０００７】
【課題を解決するための手段】
上記の目的を達成するため、第１の発明のデータ処理装置は、ネットワークを介してデータを送信するデータ処理装置であって、データを生成する第１の処理手段と、内部バスを介して前記第１の処理手段に接続され、前記ネットワークを介したデータ送信処理を行う第２の処理手段と、前記内部バスを介さずに前記第２の処理手段に直接接続され、前記第１の処理手段が生成した前記データを記憶する記憶手段とを有し、前記第２の処理手段は、前記記憶手段から読み出した前記データを、前記ネットワークを介して送信する。
【０００８】
第１の発明のデータ処理装置の作用は以下のようになる。
第１の処理手段が、データを生成する。
そして、第１の処理手段が、上記生成したデータを記憶手段に書き込む。
前記第２の処理手段は、指示を受けると、前記記憶手段から読み出した前記データを、前記ネットワークを介して送信する。
【０００９】
第２の発明のデータ処理装置は、被検体をスキャンして得られた投影データに基づいて各スライス面の断層像を再構成するデータ処理装置であって、前記被検体をスキャンして得られた第１の投影データに対して前処理を行って第２の投影データを生成する前処理手段と、前記前処理手段とネットワークを介して接続され、前記ネットワークを介して前記前処理手段から受信した前記第２の投影データを基に前記断層像データを生成する断層像生成手段とを有し、前記前理処理手段は、前記第１の投影データに対して前記前処理を行って前記第２の投影データを生成する第１の処理部と、内部バスを介して前記第１の処理部に接続され、前記第２の投影データを前記断層像生成手段に前記ネットワークを介して送信する処理を行う第２の処理部と、前記内部バスを介さずに前記第２の処理部に直接接続され、前記第１の処理部が生成した前記第２の投影データを記憶する記憶部を有し、前記第２の処理部は、前記記憶部から読み出した前記第２の投影データを前記断層像生成手段に前記ネットワークを介して送信する処理を行う。
【００１０】
第２の発明のデータ処理装置の作用は以下のようになる。
前記前処理手段において、第１の処理部が、第１の投影データに対して前記前処理を行って前記第２の投影データを生成する。
そして、第１の処理部が、前記第２の投影データを記憶部に記憶する。
次に、前記第２の処理部が、要求に応じて、前記記憶部から読み出した前記第２の投影データを断層像生成手段にネットワークを介して送信する処理を行う。
次に、断層像生成手段が、前記ネットワークを介して前記前処理手段から受信した前記第２の投影データを基に前記断層像データを生成する。
【００１１】
第２の発明のデータ処理装置は、好ましくは、複数の前記前処理手段と、複数の前記断層像生成手段とを有し、前記第１の処理部は、前記被検体をヘリカルスキャンして得られた前記第１の投影データに前記前処理を行って前記第２の投影データを生成し、前記第２の処理部は、前記記憶部から読み出した前記第２の投影データを、前記ネットワークを介して前記断層像生成手段に複数回送信し、前記断層像生成手段は、前記ネットワークを介して前記第２の処理部から受信した前記第２の投影データを基に線形補間を行って断層画像を再構成するヘリカルビュー重み付け処理を行う。
【００１２】
第３の発明のデータ処理装置は、被検体をスキャンして得られた投影データに基づいて各スライス面の断層像を再構成する複数の断層像生成装置に、前記投影データを送信するデータ処理装置であって、前記被検体をスキャンして得られた第１の投影データに対して前処理を行って前記第２の投影データを生成する第１の処理部と、内部バスを介して前記第１の処理部に接続され、前記第２の投影データを前記断層像生成手段にネットワークを介して送信する処理を行う第２の処理部と、前記内部バスを介さずに前記第２の処理部に直接接続され、前記第１の処理部が生成した前記第２の投影データを記憶する記憶部とを有し、前記第２の処理部は、前記記憶部から読み出した前記第２の投影データを前記断層像生成手段に前記ネットワークを介して送信する処理を行う。
【００１３】
第４の発明のＸ線ＣＴ装置は、被検体をスキャンして得られた投影データに基づいて各スライス面の断層像を再構成するＸ線ＣＴ装置であって、被検体をスキャンして第１の投影データを生成するスキャン手段と、前記スキャン手段が生成した前記第１の投影データに対して前処理を行って第２の投影データを生成する前処理手段と、前記前処理手段とネットワークを介して接続され、前記ネットワークを介して前記前処理手段から受信した前記第２の投影データを基に前記断層像データを生成する断層像生成手段とを有し、前記前処理手段は、前記第１の投影データに対して前記前処理を行って前記第２の投影データを生成する第１の処理部と、内部バスを介して前記第１の処理部に接続され、前記第２の投影データを前記断層像生成手段に前記ネットワークを介して送信する処理を行う第２の処理部と、前記内部バスを介さずに前記第２の処理部に直接接続され、前記第１の処理部が生成した前記第２の投影データを記憶する記憶部とを有し、前記第２の処理部は、前記記憶部から読み出した前記第２の投影データを前記断層像生成手段に前記ネットワークを介して送信する処理を行う。
【００１４】
第５の発明のＸ線ＣＴ装置は、被検体をスキャンして得られた投影データに基づいて各スライス面の断層像を再構成するＸ線ＣＴ装置であって、被検体をスキャンして得られたデータを受けるデータ収集手段と、前記データ収集手段が受けた前記第１の投影データに対して前処理を行って第２の投影データを生成する前処理手段と、前記前処理手段から受信した前記第２の投影データを基に前記断層像データを生成する断層像生成手段とを有し、前記データ収集手段、前記前処理手段および前記断層像生成手段がネットワークを介して接続され、前記前処理手段は、前記第１の投影データに対して前記前処理を行って前記第２の投影データを生成する第１の処理部と、内部バスを介して前記第１の処理部に接続され、前記第２の投影データを前記断層像生成手段に前記ネットワークを介して送信する処理を行う第２の処理部と、前記内部バスを介さずに前記第２の処理部に直接接続され、前記第１の処理部が生成した前記第２の投影データを記憶する記憶部とを有し、前記第２の処理部は、前記記憶部から読み出した前記第２の投影データを前記断層像生成手段に前記ネットワークを介して送信する処理を行う。
【００１５】
第６の発明のＸ線ＣＴ装置は、被検体をスキャンして得られた投影データに基づいて各スライス面の断層像を再構成するＸ線ＣＴ装置であって、被検体をスキャンして得られたデータを受けるデータ収集手段と、前記データ収集手段が受けた前記第１の投影データに対して前処理を行って第２の投影データを生成する前処理手段と、前記前処理手段から受信した前記第２の投影データを基に前記断層像データを生成する断層像生成手段とを有し、前記データ収集手段および前記前処理手段が内部バスを介して同一のデータ処理装置内で接続され、前記データ処理装置と前記断層像生成手段とがネットワークを介して接続されており、前記前処理手段は、前記第１の投影データに対して前記前処理を行って前記第２の投影データを生成する第１の処理部と、内部バスを介して前記第１の処理部に接続され、前記第２の投影データを前記断層像生成手段に前記ネットワークを介して送信する処理を行う第２の処理部と、前記内部バスを介さずに前記第２の処理部に直接接続され、前記第１の処理部が生成した前記第２の投影データを記憶する記憶部とを有し、前記第２の処理部は、前記記憶部から読み出した前記第２の投影データを前記断層像生成手段に前記ネットワークを介して送信する処理を行う。
【００１６】
【発明の実施の形態】
以下、本発明の実施形態に係わるＸ線ＣＴ装置について説明する。
図１は、本発明の実施形態に係わるＸ線ＣＴ装置１の全体構成図である。
図１に示すように、Ｘ線ＣＴ装置１は、例えば、走査ガントリ２およびデータ処理装置３を有する。
ここで、Ｘ線ＣＴ装置１が第４の発明のＸ線ＣＴ装置に対応し、データ処理装置３が第２の発明のデータ処理装置に対応している。
データ処理装置３は、操作部１０、表示部１１、ホストコンピュータ１２、ＤＡ（データ収集装置）１４、ネットワークスイッチ１５および再構成装置１６を有する。
ＤＡ１４は、データ収集バッファ２１およびＮ個（複数）の前処理部２２＿１〜２２＿Ｎを有する。
ここで、前処理部２２＿１〜２２＿Ｎが第１および第３の発明のデータ処理装置、並びに第２の発明の前処理手段に対応している。
また、再構成装置１６は、Ｍ個（複数）の再構成部１６＿１〜１６＿Ｍを有する。
再構成部１６＿１〜１６＿Ｍおよび前処理部２２＿１〜２２＿Ｎは、ネットワークスイッチ１５に接続されている。
ここで、再構成部１６＿１〜１６＿Ｍが、第２および第４の発明の断層像生成手段、並びに第３の発明の断層像生成装置に対応している。
【００１７】
走査ガントリ２は、放射線照射・検出系、すなわちＸ線照射・検出系を被検体をはさんで相対向させた状態でＸ線を被検体に照射しながら被検体の周りでヘリカルスキャンさせて、被検体の周囲の複数のビュー（ｖｉｅｗ）方向で被検体を透過したＸ線を検出系により検出し、それぞれＸ線による被検体の投影データＲＡＷを生成し、これをデータ処理装置３に出力する。
【００１８】
データ処理装置３は、走査ガントリ２から入力した投影データＲＡＷに基づいて再構成処理を行って断層像画像データを生成する。
以下、データ処理装置３の各構成要素について説明する。
操作部１０は、ホストコンピュータ１２にユーザによる操作指示を入力するキーボードなどである。
表示部１１は、ホストコンピュータ１２から入力した画像信号に応じた画像を表示する。
ホストコンピュータ１２は、再構成部１６＿１〜１６＿Ｍから入力した各スライスの断層像データＩＭを基に画像信号を生成し、これを表示部１１に出力する。これにより、各スライスの断層像が表示部１１に表示される。
【００１９】
データ収集バッファ２１は、走査ガントリ２から複数のビューについてのヘリカルスキャンの投影データＲＡＷを入力し、それを記憶する。
前処理部２２＿１〜２２＿Ｎは、データ収集バッファ２１から読み出した投影データＲＡＷに対して、断層像データ生成のための前処理として、Ｘ線ビーム強度の変動による影響を補正するためのリファレンス補正、並びにＸ線検出器アレイのチャンネル間の感度バラツキを補正するためのチャンネル間感度補正の少なくとも一方の処理を行って投影データＡＰＲＥを生成する。
前処理部２２＿１〜２２＿Ｎは、ネットワークスイッチ１５を介して投影データＡＰＲＥを再構成部１６＿１〜１６＿Ｍに送信する。
【００２０】
図２は、図１に示す前処理部２２＿１の構成図である。
なお、前処理部２２＿２〜２２＿Ｎは、前処理部２２＿１と同じ構成を有している。
図２に示すように、前処理部２２＿１は、例えば、ＮＩＣ（ネットワーク集積回路）４２、第１のメモリ４３、チップセット４４、ＣＰＵ４５および第２のメモリ４６を有する。
【００２１】
ここで、ＣＰＵ４５が本発明の第１の処理手段および第１の処理部に対応し、ＮＩＣ４２が本発明の第２の処理手段および第２の処理部に対応し、第１のメモリ４３が本発明の記憶手段および記憶部に対応し、内部バス４１が本発明の内部バスに対応している。
【００２２】
ＮＩＣ４２およびチップセット４４は、内部バス４１を介して接続されている。
第１のメモリ４３は、例えば、半導体メモリであり、内部バス４１を介さずにＮＩＣ４２に直接接続されている。
ＣＰＵ４５および第２のメモリ４６は、内部バス４１を介さずにチップセット４４に直接接続されている。
【００２３】
第２のメモリ４６は、例えば、半導体メモリであり、走査ガントリ２がネットワークスイッチ１５に接続されている場合には、ネットワークスイッチ１５、ＮＩＣ４２、内部バス４１およびチップセット４４を介して走査ガントリ２から入力した投影データＲＡＷを記憶する。
なお、第２のメモリ４６は、走査ガントリ２が内部バス４１に接続されている場合には、内部バス４１およびチップセット４４を介して走査ガントリ２から入力した投影データＲＡＷを記憶する。
【００２４】
ＣＰＵ４５は、チップセット４４を介して第２のメモリ４６から読み出した投影データＲＡＷに対して、Ｘ線ビーム強度の変動による影響を補正するためのリファレンス補正、並びにＸ線検出器アレイのチャンネル間の感度バラツキを補正するためのチャンネル間感度補正などの前処理を行って投影データＡＰＲＥを生成する。
ＣＰＵ４５は、投影データＡＰＲＥを、内部バス４１およびＮＩＣ４２を介して第１のメモリ４３に書き込む。
【００２５】
ＮＩＣ４２は、ネットワークスイッチ１５を介して再構成部１６＿１〜１６＿Ｍとの間でデータ伝送処理を行う。
ＮＩＣ４２は、ＣＰＵ４５からの指示に応じて、第１のメモリ４３から読み出した投影データＡＰＲＥを、ネットワークスイッチ１５を介して、再構成部１６＿１〜１６＿Ｍのうち指定された再構成部に送信する。
【００２６】
ネットワークスイッチ１５は、再構成部１６＿１〜１６＿Ｍと前処理部２２＿１〜２２＿Ｎとの間でネットワークを構築するＬＡＮスイッチやブリッヂ等であり、再構成部１６＿１〜１６＿Ｍと前処理部２２＿１〜２２＿Ｎとの間で同時に複数系統のデータ授受（通信）を実現する。
【００２７】
再構成部１６＿１〜１６＿Ｍは、ネットワークスイッチ１５を介して前処理部２２＿１〜２２＿Ｎのうち指定した前処理部から投影データＡＰＲＥを受信し、当該受信した投影データＡＰＲＥを基に軸方向に例えば線形補間を行って画像を再構成するヘリカルビュー重み付け処理を行い、各スライスの断層像画像データを生成する。
再構成部１６＿１〜１６＿Ｍは、上記生成した断層像画像データをホストコンピュータ１２に出力する。
【００２８】
図３は、再構成部１６＿１〜１６＿３における断層像画像データの生成処理を模式的に示す図である。
例えば、前処理部２２＿１〜２２＿Ｎにおいて、走査ガントリ２から入力した投影データＲＡＷを基に投影データＡＰＲＥが生成される。
ここで、投影データＡＰＲＥのうち、前処理部２２＿１が投影データＡ，Ｂ，Ｃを生成し、前処理部２２＿２が投影データＤ，Ｅ，Ｆを生成し、前処理部２２＿３が投影データＧ，Ｈを生成した場合を考える。
再構成部１６＿１は、ネットワークスイッチ１５を介して、前処理部２２＿１から投影データＡ，Ｂ，Ｃを受信し、これを用いて断層像画像データＸ１を生成する。
再構成部１６＿２は、ネットワークスイッチ１５を介して、前処理部２２＿１，２２＿２から投影データＢ，Ｃ，Ｄを受信し、これを用いて断層像画像データＸ２を生成する。
再構成部１６＿３は、ネットワークスイッチ１５を介して、前処理部２２＿１，２２＿２から投影データＢ，Ｃ，Ｄを受信し、これを用いて断層像画像データＸ３を生成する。
このように、本実施形態では、再構成部１６＿１〜１６＿Ｍ間で同じ投影データを基に断層像画像データを生成する。そのため、前処理部２２＿１〜２２＿Ｎは、同じ投影データを繰り返し複数の再構成部１６＿１〜１６＿Ｍに送信する。
【００２９】
以下、図１にＸ線ＣＴ装置１の動作例を説明する。
走査ガントリ２が、放射線照射・検出系、すなわちＸ線照射・検出系を被検体をはさんで相対向させた状態でＸ線を被検体に照射しながら被検体の周りでヘリカルスキャンさせて、被検体の周囲の複数のビュー方向で被検体を透過したＸ線を検出系により検出し、それぞれＸ線による被検体の投影データＲＡＷを生成し、これをデータ処理装置３に出力する。
当該投影データＲＡＷは、データ処理装置３のデータ収集バッファ２１に格納される。
次に、前処理部２２＿１〜２２＿Ｎは、データ収集バッファ２１から読み出した投影データＲＡＷを、例えば、図２に示す第２のメモリ４６に格納する。
次に、前処理部２２＿１〜２２＿Ｎの各々において、ＣＰＵ４５が、チップセット４４を介して第２のメモリ４６から投影データＲＡＷを読み出して、当該投影データＲＡＷに前処理を施して投影データＡＰＲＥを生成する。
次に、ＣＰＵ４５が上記投影データＡＰＲＥを内部バス４１を介してＮＩＣ４２に出力し、ＮＩＣ４２が投影データＡＰＲＥを第１のメモリ４３に書き込む。
その後、再構成部１６＿１〜１６＿Ｍが、ネットワークスイッチ１５を介して所定の前処理部２２＿１〜２２＿Ｎに読み出し要求を出力する。
【００３０】
次に、前処理部２２＿１〜２２＿ＮのＣＰＵ４５が、上記読み出し要求を基に、指定した投影データＡＰＲＥを上記読み出し要求の送信元の再構成部１６＿１〜１６＿Ｍに送信する旨をＮＩＣ４２に要求する。
ＮＩＣ４２は、上記ＣＰＵ４５からの要求に応じて、第１のメモリ４３から上記指定された投影データＡＰＲＥを読み出しこれを上記送信元の再構成部１６＿１〜１６＿Ｍにネットワークスイッチ１５を介して送信する。
このように、ＮＩＣ４２が内部バス４１を介さずにＮＩＣ４２に直接接続された第１のメモリ４３から投影データＡＰＲＥを読み出してネットワークスイッチ１５に送信するため、再構成部１６＿１〜１６＿Ｍからの要求を受けてから従来に比べて短時間で投影データＡＰＲＥを再構成部１６＿１〜１６＿Ｍに提供できる。
【００３１】
このとき、ネットワークスイッチ１５を介した前処理部２２＿１〜２２＿Ｎから再構成部１６＿１〜１６＿Ｍに対しての投影データＡＰＲＥの送信は、同時に複数系統行うことができる。
例えば、再構成部１６＿１から前処理部２２＿１への投影データＡＰＲＥの送信と、再構成部１６＿２から前処理部２２＿２への投影データＡＰＲＥの送信とを並行して行える。そのため、前処理部２２＿１〜２２＿Ｎから再構成部１６＿１〜１６＿Ｍに投影データＡＰＲＥを従来に比べて短時間で提供できる。
【００３２】
次に、再構成部１６＿１〜１６＿Ｍは、ネットワークスイッチ１５を介して前処理部２２＿１〜２２＿Ｎから受信した投影データＡＰＲＥを基に、軸方向に線形補間を行って画像を再構成するヘリカルビュー重み付け処理を行い、各スライスの断層像画像データＩＭを生成する。
次に、再構成部１６＿１〜１６＿Ｍは、上記生成した断層像画像データＩＭをホストコンピュータ１２に出力する。
ホストコンピュータ１２は、再構成部１６＿１〜１６＿Ｍから入力した各スライスの断層像データＩＭを基に画像信号を生成し、これを表示部１１に出力する。
これにより、各スライスの断層像が表示部１１に表示される。
【００３３】
以上説明したように、Ｘ線ＣＴ装置１によれば、前処理部２２＿１〜２２＿ＮのＮＩＣ４２が内部バス４１を介さずにＮＩＣ４２に直接接続された第１のメモリ４３から投影データＡＰＲＥを読み出してネットワークスイッチ１５に送信するため、再構成部１６＿１〜１６＿Ｍからの要求を受けてから従来に比べて短時間で投影データＡＰＲＥを再構成部１６＿１〜１６＿Ｍに提供できる。
また、Ｘ線ＣＴ装置１によれば、ネットワークスイッチ１５を介した前処理部２２＿１〜２２＿Ｎから再構成部１６＿１〜１６＿Ｍに対しての投影データＡＰＲＥの送信は、同時に複数系統行うことができるため、前処理部２２＿１〜２２＿Ｎから再構成部１６＿１〜１６＿Ｍに投影データＡＰＲＥを従来に比べて短時間で提供できる。
【００３４】
本発明は上述した実施形態には限定されない。
上述した実施形態では、本発明をＸ線ＣＴ装置１に適用した場合を例示したが、ネットワークを介してデータを送信するＮＩＣを備えたデータ処理装置であって、記憶データをネットワークを介して頻繁に送信するようなその他のデータ処理装置にも本発明は適用可能である。
【００３５】
また、本発明の実施形態は、例えば、図４に示すように、前処理ブロック２２＿１〜２２＿Ｎ、データ収集バッファ２１および再構成ブロック１６＿１〜１６＿Ｍを、ネットワークスイッチ１５に接続してもよい。
この場合には、走査ガントリ２からの投影データＲＡＷが、データ収集バッファ２１のインタフェース５１を介して入力され、これがチップセット５２を介してメモリ５３に書き込まれたる。
そして、この投影データＲＡＷが、メモリ５３から読み出され、チップセット５２を介して、ＳＣＳＩ（Ｓｍａｌｌ  Ｃｏｍｐｕｔｅｒ  Ｓｙｓｔｅｍ  Ｉｎｔｅｒｆａｃｅ）  コントローラ５４を介して、データベース５５に格納される。
続いて、この投影データＲＡＷが、ＳＣＳＩコントローラ５４、ＮＩＣ５６およびネットワークスイッチ１５を介して、前処理ブロック２２＿１〜２２＿Ｎに出力される。
そして、投影データＲＡＷが、前処理ブロック２２＿１〜２２＿Ｎ内で、ＮＩＣ４４およびチップセット４４を介してメモリ４６に格納される。
続いて、ＣＰＵ４５が、メモリ４６から読み出した投影データＲＡＷに前処理を施して、投影データＡＰＲＥを生成し、これをメモリ４３に書き込む。
そして、ＮＩＣ４４によって、メモリ４３から読み出された投影データＡＰＲＥが、ネットワークスイッチ１５を介して、再構成部１６＿１〜１６＿Ｍに出力される。
【００３６】
また、図５に示すように、前処理ブロック２２＿１とデータ収集バッファ２１とを同じデータ処理装置９０内に配置してもよい。
この場合には、内部バス４３に、ＮＩＣ４２およびチップセット４４の他に、インタフェース６１およびＳＣＳＩコントローラ６２が接続される。
この場合には、走査ガントリ２からの投影データＲＡＷが、インタフェース６１を介してデータ処理装置９０に入力され、これがＳＣＳＩコントローラ６２を介してデータベース６３に格納される。
続いて、この投影データＲＡＷが、ＳＣＳＩコントローラ６２、内部バス４３およびチップセット４４を介してメモリ４６に格納される。
ＣＰＵ４５は、メモリ４６から読み出した投影データＲＡＷに前処理を施して、投影データＡＰＲＥを生成し、これをＮＩＣ４２を介してメモリ４３に格納する。
そして、ＮＩＣ４４によって、メモリ４３から読み出された投影データＡＰＲＥが、ネットワークスイッチ１５を介して、再構成部１６＿１に出力される。
【００３７】
【発明の効果】
以上説明したように、第１の発明のデータ処理装置によれば、第１の処理手段と第２の処理手段とが内部バスを介して接続されている構成のデータ処理装置において、内部バスの転送負荷を軽減でき、しかも要求から受けてから短時間でネットワークにデータを送出できる。
また、第２および第３の発明のデータ処理装置、並びに第４の発明のＸ線ＣＴ装置によれば、被検体をスキャンして得られた投影データに基づいて各スライス面の断層像を再構成する場合に、断層像生成手段（装置）にネットワークを介して短時間で投影データを提供できる。
また、第２および第３の発明のデータ処理装置、並びに第４、第５および第６の発明のＸ線ＣＴ装置によれば、被検体をスキャンして得られた投影データに基づいて各スライス面の断層像を再構成する場合に、複数の断層像生成手段（装置）に短時間で投影データを提供できる。
【図面の簡単な説明】
【図１】図１は、本発明の実施形態に係わるＸ線ＣＴ装置の全体構成図である。
【図２】図２は、図１に示す前処理部の構成図である。
【図３】図３は、図１に示す再構成部における断層像画像データの生成処理を模式的に示す図である。
【図４】図４は、本発明の実施形態の変形例に係わるＸ線ＣＴ装置の構成図である。
【図５】図５は、本発明の実施形態のその他の変形例に係わるＸ線ＣＴ装置の構成図である。
【図６】図６は、従来のＸ線ＣＴ装置に内蔵されたデータ収集部（ＤＡ）および画像再構成部などを含むデータ処理装置の構成を示す図である。
【符号の説明】
１…Ｘ線ＣＴ装置、２…走査ガントリ、３…データ処理装置、１０…操作部、１１…表示部、１２…ホストコンピュータ、１４…ＤＡ、１５…ネットワークスイッチ、１６…再構成装置、１６＿１〜１６＿Ｍ…再構成部、２２＿１〜２２＿Ｎ…前処理部、４１…内部バス、４２…ＮＩＣ、４３…第１のメモリ、４４…チップセット、４５…ＣＰＵ、４６…第２のメモリ
【図１】
2004267345.tif 000003
【図２】
2004267345.tif 000004
【図３】
2004267345.tif 000005
【図４】
2004267345.tif 000006
【図５】
2004267345.tif 000007
【図６】
2004267345.tif 000008